(57)【要約】【課題】従来の育苗箱剥取装置では根切りネットを置床から分離する分離部材を有しているため、その構造が複雑で高価になると共に、根切りネットに付着した土が根切りネット巻取ロール上に付着して長尺のネットを巻取りできなくなる等の欠点があった。【解決手段】本発明の育苗箱剥取装置は、移動車体と、この移動車体の前端から斜め上方に略６０°で傾斜して延びるネットガイドと、上記移動車体の後端上部に設けたネット巻取ロールと、上記ネットガイドに沿って通るネットを揺動せしめるためのネット揺動手段と、上記移動車体の移動とネット巻取ロールの回転を同期して行なう駆動手段とより成る。【選択図】図３
2011217658.tif 000002
【特許請求の範囲】
【請求項１】
移動車体と、この移動車体の前端から斜め上方に傾斜して延びるネットガイドと、上記移動車体の後端上部に設けたネット巻取ロールと、上記ネットガイドに沿って通るネットを揺動せしめるためのネット揺動手段と、上記移動車体の移動とネット巻取ロールの回転を同期して行なう駆動手段とより成ることを特徴とする育苗箱剥取装置。
【請求項２】
上記ネット揺動手段が、上記ネットガイドによってガイドされるネットを揺動せしめるための、断面多角状の回転ローラであることを特徴とする請求項１記載の育苗箱剥取装置。
【請求項３】
上記ネットガイドの傾斜が略６０°であることを特徴とする請求項１または２記載の育苗箱剥取装置。
【発明の詳細な説明】
【技術分野】
【０００１】
本発明は育苗箱剥取装置、特に、専用の根切りネットを有する育苗箱の育苗箱剥取装置に関するものである。
【背景技術】
【０００２】
従来、育苗箱を載置している根切りネットを置床から分離するための分離部材と、この分離部材を上記根切りネットと上記置床間に挿入する手段と、上記分離部材を上下動せしめて上記根切りネットを上記置床から分離する手段と、上記置床から分離された育苗箱付き根切りネットを巻き取って上記根切りネットから上記育苗箱を分離せしめる手段とより成る育苗箱剥取装置は特許文献１に示されている。
【先行技術文献】
【特許文献】
【０００３】
【特許文献１】特開２００５−３４１８６６号公報（図３）。
【発明の概要】
【発明が解決しようとする課題】
【０００４】
上記従来の育苗箱剥取装置では根切りネットを置床から分離する分離部材を有しているため、その構造が複雑で高価になると共に、根切りネットに付着した土が根切りネット巻取ロール上に付着して長尺のネットを巻取りできなくなる等の欠点があった。
【０００５】
本発明は上記の欠点を除くようにしたものである。
【課題を解決するための手段】
【０００６】
本発明の育苗箱剥取装置は、移動車体と、この移動車体の前端から斜め上方に傾斜して延びるネットガイドと、上記移動車体の後端上部に設けたネット巻取ロールと、上記ネットガイドに沿って通るネットを揺動せしめるためのネット揺動手段と、上記移動車体の移動とネット巻取ロールの回転を同期して行なう駆動手段とより成ることを特徴とする。
【０００７】
上記ネット揺動手段は、上記ネットガイドによってガイドされるネットを揺動せしめるための、断面多角状の回転ローラであることを特徴とする。
【０００８】
上記ネットガイドの傾斜が略６０°であることを特徴とする。
【発明の効果】
【０００９】
本発明の育苗箱剥取装置によれば根切りネットを置床から分離する分離部材を必要とせず、また、根切りネットに付着した土は、巻取ロールによる巻き取りの前に揺動手段によって分離され、根切りネット巻取ロール上に付着する土が少なくなり、従って長尺の根切りネットを巻き取り得るようになる。
【００１０】
また、移動車体の車輪を動力によって駆動して自走できるようにすると共に、上記動力によって、根切りネット巻取ロールを移動車体の駆動と同期して回転せしめるようにしたので育苗箱剥取装置を円滑に運転できるようになる。
【図面の簡単な説明】
【００１１】
【図１】育苗箱と根切りネットの一部を示す平面図である。
【図２】図１に示す育苗箱と根切りネットの正面図である。
【図３】本発明の苗箱剥取装置の側面図である。
【図４】図３に示す装置の平面図である。
【発明を実施するための形態】
【００１２】
以下図面によって本発明の実施例を説明する。
【実施例１】
【００１３】
図１及び図２において、１は置床、２は例えば横幅３１ｃｍ、縦６１ｃｍのサイズの多数併設された育苗箱、３は置床１と育苗箱２間に介挿した例えば横３ｍ、縦５０ｍに広がる根切りネットを示し、本発明においては図３及び図４に示すようにガイドレール４上を走行する車輪５を有する移動車体６と、育苗箱２を載置している根切りネット３を置床１から分離し、巻取るため上記移動車体５の前端から略６０°の角度で斜め上方に傾斜して延びるネットガイドを形成するため上下に配置した第１、第２のガイドローラ７及び８と、上記移動車体５の後端上部に設けたネット巻取ロール９と、この巻取ロール９と上記上方の第１のガイドローラ７間に配置したアイドルローラ１０と、上記第１、第２のネットガイドローラ７と８間に形成されるネットガイド通路を通るネット３を上下に揺動せしめるため上記第１、第２のネットガイドローラ７と８間に配置した断面多角形、例えば三角形状の回転ローラ１１と、上記車輪５、上記巻取ロール７、８、上記ネット巻取ロール９、及び上記回転ローラ１１を夫々同期して駆動せしめるための電動機等の原動機１２と、この原動機１２からの駆動力を上記第１、第２のガイドローラ７，８及び動力伝達中間ローラ１３に伝達するためのチェーン１４と、同じく上記ネット巻取ロール９に伝達するためのチェーン１５と、上記動力伝達中間ローラ１３の回転を上記回転ローラ１１及び上記車輪５に伝達するためのチェーン１６とにより育苗箱剥取装置を構成せしめる。
【００１４】
本発明の育苗箱剥取装置は上記のような構成であるから、上記苗箱２を載置していない根切りネット３部分の先端部を引き出し、第１、第２のガイドローラ７、８及びアイドルローラ１０を介してネット巻取ロール９に固定し、原動機１２を回転せしめればこの回転がチェーン１４〜１６を介して夫々第１、第２のガイドローラ７、８、ネット揺動用回転ローラ１１、車輪５、及びネット巻取ロール９に伝達され、これらが互いに同期して駆動されるため、育苗箱剥取装置は極めてスムーズに運転されるようになる。
【００１５】
また、ネット揺動用回転ローラ１１の回転によりネットガイド通路を通るネット３が上下に揺動されるため、ネット３に付着している土がこの部分で脱落され、ネット巻取ロール９には付着されず、従って長尺のネット３を巻き取り得るようになる。
【００１６】
本発明の育苗箱剥取装置においては置床１から分離した根切りネット３の先端を略６０°の角度で斜め上方に引張するようにしたので根切りネット分離装置を用いることなくネット巻取ロール９の回転と移動車体６の同期した前進動作により根切りネット３の剥取りを容易に確実に行なうことができるようになる。
【００１７】
本発明の育苗箱剥取装置においては、根切りネット３と共に育苗箱２が巻取ロール９の頂部に送られた場合には育苗箱２は根切りネット３から離された状態になるのでこの時点をセンサ（図示せず）で検知して原動機１２の回転を止め育苗箱２を育苗かごまたは苗棚（何れも図示せず）に収納し、その後原動機１２を再び起動し次の列の育苗箱２が巻取ロール９の頂部に達したとき、原動機１２の回転を止め、以下この操作を繰り返すようにする。
【００１８】
上記のように本発明の育苗箱剥取装置によれば、その作業を高速、高能率で行なうことができる大きな利益がある。
【符号の説明】
【００１９】
１  置床
２  育苗箱
３  根切りネット
４  ガイドレール
５  車輪
６  移動車体
７  第１ガイドローラ
８  第２ガイドローラ
９  ネット巻取ロール
１０  アイドルローラ
１１  回転ローラ
１２  原動機
１３  動力伝達中間ローラ
１４  チェーン
１５  チェーン
１６  チェーン
【図１】
2011217658.tif 000003
【図２】
2011217658.tif 000004
【図３】
2011217658.tif 000005
【図４】
2011217658.tif 000006